(57)【要約】【課題】歯ブラシのブラシ部に付着したゴミを効率良く除去することができると共に、歯ブラシ側から移った同ゴミを取り外しやすい、歯ブラシ清掃具を提供する。【解決手段】歯ブラシ清掃具１は、持ち手部２と、櫛部３とを備える。櫛部３は、持ち手部２に連設された基体３０と、基体３０から同じ方向へ延出した複数本の櫛歯３１を有し、櫛歯３１の各々は、剛性あるいは準剛性を有する一本の棒体または線体であると共に、隣接する櫛歯３１の間に所定の間隙が形成され、持ち手部２および基体３０の配列方向に対して各櫛歯３１が一条かつ略直列になる向きに配置されている。【選択図】図１
0003224652.tif 000002
【実用新案登録請求の範囲】
【請求項１】
持ち手部と、
該持ち手部に連設された基体と、該基体から同じ方向へ延出した複数本の櫛歯を有し、該櫛歯の各々は、剛性あるいは準剛性を有する一本の棒体または線体であると共に、隣接する同櫛歯の間に所定の間隙が形成され、前記持ち手部および前記基体の配列方向に対して同各櫛歯が一条かつ略直列になる向きに配置された櫛部とを備える
歯ブラシ清掃具。
【請求項２】
前記各櫛歯の間が、１ｍｍ以上４ｍｍ以下の空隙を以て配置されている
請求項１に記載の歯ブラシ清掃具。
【請求項３】
前記各櫛歯の一部または全部が、抗菌性を有する
請求項１または請求項２に記載の歯ブラシ清掃具。
【請求項４】
前記各櫛歯の一部または全部が、軸方向側面に突出した突出部を有する
請求項１、請求項２または請求項３に記載の歯ブラシ清掃具。
【請求項５】
基体および該基体から同じ方向へ延出した複数本の櫛歯を有し、該櫛歯の各々は、剛性あるいは準剛性を有する一本の棒体または線体であると共に、隣接する同櫛歯の間に所定の間隙が形成され、同各櫛歯が略直列になる向きに配置された櫛部とを備える
歯ブラシ清掃具。
【考案の詳細な説明】
【技術分野】
【０００１】
本考案は、歯ブラシのブラシ部に付着した食べ滓や食べ物の繊維等のゴミ（以下「ゴミ」と称する場合がある）を効率良く除去することができると共に、歯ブラシ側から移った同ゴミを取り外しやすい、歯ブラシ清掃具に関する。
【背景技術】
【０００２】
従来から、口腔内の衛生器具として歯ブラシが使用されている。一般的な歯ブラシにおいて、ブラシ部は、柄の先端の片側に数十本ごとに束ねられた繊維を一束（以下「ブラシ束」という）とし、その束が複数かつ所定間隔でヘッド部に植設されている。
【０００３】
ところで、歯ブラシを使用して歯磨きを行った後、ブラシ部には、食べ滓等のゴミが付着していることが多く、ブラシ部における中央部分や、ブラシ束の間あるいは根元に入り込んだゴミは、水道で流す程度では除去しにくいことが多い。特に、咀嚼した後に口腔内に残る野菜類等の繊維は、ブラシ束の間に複雑に絡みつき、その除去に手間が掛かる。また、近年は節水装置が付いた蛇口も多く、水圧が低い場合は特にゴミの除去が難しくなる。
【０００４】
このような歯ブラシの清掃の手間を解消すべく、例えば、下記の特許文献１に示されているような「歯ブラシの清掃ブラシ（以下「清掃ブラシ」と省略する）」が提案されており、その構成を図６に示している。
【０００５】
図６に示す清掃ブラシ９は、ブラシ毛９１が植毛されたヘッド部９２と、把柄部９３とにより構成されている。そして、清掃ブラシ９は、ヘッド部９２の平面形状が略矩形又は略正方形で、把柄軸方向のブラシ毛９１の毛束の配列数が４であり、かつ、把柄軸と直角方向のブラシ毛９１の毛束の配列数が４である、配列されたブラシ毛９１の毛束群が、ヘッド部９２の把柄軸方向中央に部分的に植毛されている事を特徴とする構成である。
【０００６】
清掃ブラシ９は、前述の構成を備えることにより、ブラシ毛９１の先端が被清掃歯ブラシの植毛面まで届き、歯垢を効果的に掻き出すことができるようにしてある。
【先行技術文献】
【特許文献】
【０００７】
【特許文献１】特許第５４６６３３０号公報
【考案の概要】
【考案が解決しようとする課題】
【０００８】
しかしながら、清掃ブラシ９は、ブラシ毛９１を束ねた毛束を使用しているため、これを使用して歯ブラシの清掃を行った場合、歯ブラシから除去したゴミが、清掃ブラシ９側に移り、使用後の歯ブラシと同様、食べ滓が毛束の中に入り込む、あるいは、繊維類が絡む等し、除去しにくい。加えて、清掃ブラシ９は、ヘッド部９２に植毛された毛束の配列数が、把柄軸方向および把柄軸と直角方向に対して複数列であるため、ゴミが各列の間に挟まったり、繊維類が複雑に絡まったりしやすい。
【０００９】
また、清掃ブラシ９によれば、その使用により歯ブラシ自体は清掃できても、清掃ブラシ９にゴミが移動し、清掃ブラシ９から除去できなかったゴミは、雑菌繁殖の温床となり、不潔であると共に悪臭の原因となる。このような不潔かつ悪臭のする清掃ブラシ９を使用して歯ブラシを清掃することは、清掃対象である歯ブラシを不潔にするだけではなく、口内環境を悪化させる原因ともなり得る。更に、悪臭が移った場合、使用者に生じる生理的嫌悪感から、歯ブラシ自体の再使用も躊躇される可能性もある。
【００１０】
当然、前述の清掃ブラシであっても、時間を掛けて清掃すればゴミは除去できるのであるが、歯ブラシの清掃を行った後に、その清掃ブラシの清掃に時間を掛けることは、非効率的である。
【００１１】
本考案は、以上の点を鑑みて創案されたものであり、歯ブラシのブラシ部に付着したゴミを効率良く除去することができると共に、歯ブラシ側から移った同ゴミを取り外しやすい、歯ブラシ清掃具を提供することを目的とするものである。
【課題を解決するための手段】
【００１２】
上記の目的を達成するために本考案の歯ブラシ清掃具は、持ち手部と、該持ち手部に連設された基体と、該基体から同じ方向へ延出した複数本の櫛歯を有し、該櫛歯の各々は、剛性あるいは準剛性を有する一本の棒体または線体であると共に、隣接する同櫛歯の間に所定の間隙が形成され、前記持ち手部および前記基体の配列方向に対して同各櫛歯が一条かつ略直列になる向きに配置された櫛部とを備える。
【００１３】
ここで、持ち手部は、櫛部を操作する際に使用者によって保持される部分とすることができる。なお、持ち手部は、例えば、櫛部の基体に連設された所定長さの棒体が挙げられるが、これに限定するものではなく、枠状であって枠内に指を挿入して持つことができるもの等の各種形状であってもよい。
【００１４】
櫛部は、基体を有することにより、複数本の櫛歯を設けることができ、連設された持ち手部によって基体を動かすことで、各櫛歯の動きを操作することができる。
【００１５】
そして、櫛部は、基体から同じ方向へ延出した複数本の櫛歯を有することにより、各櫛歯を歯ブラシのブラシ部の根元に刺し、ブラシ部の先端方向に動かすことで、ブラシ部を梳くようにしてゴミを除去することができる。なお、「櫛歯」であるため、その形状は、基端が基体に接続し、先端が自由端である。
【００１６】
加えて、櫛歯の各々は、剛性あるいは準剛性を有することにより、除去するゴミが、ブラシ部に絡んだ食べ物の繊維のようなものであっても、抵抗に負けることなく梳き出すことができる。また、櫛歯の各々は、一本の棒体または線体であることにより、食べ物の繊維のようなゴミを梳き出しやすく、梳き出して歯ブラシ清掃具側に移ったゴミが、櫛歯に必要以上に絡まず、取り外しやすい形状になっている。
【００１７】
なお、「準剛性を有する」とは、可撓性または弾性と同義で、多少変形しても元の形状に復帰する程度の剛性を含む意味で使用している。また、「一本の棒体または線体である」とは、櫛歯の各々が、例えば、歯ブラシのような毛束ではなく、基体と一体に成型された棒体、あるいは、基体に植設された線体等の態様であることを意味する。
【００１８】
更に、櫛歯は、基体と同一素材で形成されたものであってもよいし、基体と相違する素材で形成されたものであってもよい。また、各櫛歯は、「剛性あるいは準剛性を有する一本の棒体または線体」であればよく、合成樹脂材やステンレススチール等の金属材、木材あるいは竹材等により形成された棒体または線体が挙げられる。
【００１９】
更にまた、櫛部は、櫛歯の各々が、隣接する櫛歯の間に所定の間隙が形成されていることにより、使用後の歯ブラシ清掃具の清掃を行いやすく、歯ブラシに付着したゴミを除去しやすくしている。
【００２０】
そして、櫛部は、櫛歯の各々が、持ち手部および基体の配列方向に対して略直列になる向きに配置されていることにより、各櫛歯を歯ブラシのブラシ部の根元に刺した際に、ブラシ部が植毛された歯ブラシのヘッド部の表面に沿って各櫛歯を刺し入れることができる。
【００２１】
その後、歯ブラシ清掃具をブラシ部の先端方向に動かす（あるいは、歯ブラシを動かす）ことで、ヘッド部の表面に付着したゴミもムラなく梳き上げ、ブラシ部からゴミを除去することができる。
【００２２】
なお、「略直列」とは、完全な直列を含むと共に、配列方向の中心線から左右方向に僅かに（０．１ｍｍ〜１ｍｍ程度）外れるジグザグとなるものも含む意味で使用している。
【００２３】
各櫛歯は、一条に配置されていることにより、櫛部を簡易な構造にすると共に、各櫛歯に付着したゴミを除去しやすい構造にしている。例えば、各櫛歯が複数条である場合、ゴミが各条間に挟まったり、食べ物の繊維が櫛歯間に複雑に絡まったりしやすいが、各櫛歯の配置が一条であることで、ゴミが挟まったり繊維が櫛歯に複雑に絡まったりしにくくなる。
【００２４】
また、各櫛歯の間が、１ｍｍ以上４ｍｍ以下の空隙を以て配置されている場合は、使用後の歯ブラシ清掃具の清掃を更に行いやすく、歯ブラシに付着したゴミを除去する作業効率が向上している。
【００２５】
例えば、歯ブラシ清掃具を使用して歯ブラシを清掃した後、歯ブラシ清掃具の櫛歯には、歯ブラシから除去した食べ物の繊維等のゴミが付着する。このゴミは、各櫛歯が前述の空隙を以て配置されていることによって、櫛部を蛇口からの水流を当てるだけで流し落とすことができ、手間を掛けずに除去することができる。
【００２６】
なお、各櫛歯の間の空隙が１ｍｍ未満の場合は、櫛歯間が密であり過ぎるため、ゴミが櫛歯間にしっかりと挟まったり、食べ物の繊維が櫛歯間に複雑に絡まったりしやすいので、蛇口からの水流を当てる程度では流し落とすことが困難となり、好ましくない。また、各櫛歯の間の空隙が４ｍｍを超える場合は、空隙が疎である（広過ぎる）ため、歯ブラシの清掃の際に、歯ブラシ清掃具で一度引っ掛けたゴミが外れ、歯ブラシ側に残留する可能性が高いことから、やはり好ましくない。
【００２７】
また、各櫛歯の一部または全部が、抗菌性を有する場合は、雑菌の繁殖を抑制することができ、歯ブラシ清掃具を清潔に保つことができる。また、歯ブラシ清掃具が清潔であることにより、歯ブラシ清掃具を使用する対象である歯ブラシに雑菌が移らないようにすることができる。
【００２８】
なお、例えば「抗菌性を有する」ものとしては、櫛歯が抗菌能を有する材料で形成されたものであるか、または、櫛歯の表面に抗菌能を有する塗膜層が形成されたものである場合が挙げられる。
【００２９】
また、各櫛歯の一部または全部が、軸方向側面に突出した突出部を有する場合は、この突出部を有することにより、歯ブラシ清掃具を使用して歯ブラシを清掃する際に、ゴミが引っ掛かりやすくなると共に、引っ掛けたゴミが歯ブラシ側に外れにくくすることができる。
【００３０】
なお、「軸方向側面に突出した突出部」としては、例えば、櫛歯の軸方向側面に形成された螺旋状、輪状、粒状突起等、各種の突出部の形状が挙げられる。
【００３１】
上記の目的を達成するために本考案の歯ブラシ清掃具は、基体および該基体から同じ方向へ延出した複数本の櫛歯を有し、該櫛歯の各々は、剛性あるいは準剛性を有する一本の棒体または線体であると共に、隣接する同櫛歯の間に所定の間隙が形成され、同各櫛歯が略直列になる向きに配置された櫛部を備える。
【００３２】
ここで、櫛部は、基体を有することにより、複数本の櫛歯を設けることができる。なお、基体は、持ち手部に連設され、同持ち手部によって基体を動かして各櫛歯の動きを操作する態様、あるいは、基台等の何かしらの固定物に取り付けて歯ブラシ側を動かして使用する態様、のいずれも含まれる。
【００３３】
そして、櫛部は、基体から同じ方向へ延出した複数本の櫛歯を有することにより、各櫛歯を歯ブラシのブラシ部の根元に刺し、ブラシ部の先端方向に動かすことで、ブラシ部を梳くようにしてゴミを除去することができる。
【００３４】
加えて、櫛歯の各々は、剛性あるいは準剛性を有することにより、除去するゴミが、ブラシ部に絡んだ食べ物の繊維のようなものであっても、抵抗に負けることなく梳き出すことができる。また、櫛歯の各々は、一本の棒体または線体であることにより、食べ物の繊維のようなゴミを梳き出しやすく、梳き出して歯ブラシ清掃具側に移ったゴミが、櫛歯に必要以上に絡まず、取り外しやすい形状になっている。
【００３５】
更に、櫛部は、櫛歯の各々が、隣接する櫛歯の間に所定の間隙が形成されていることにより、使用後の歯ブラシ清掃具の清掃を行いやすく、歯ブラシに付着したゴミを除去しやすくしている。そして、櫛部は、櫛歯の各々が、持ち手部および基体の配列方向に対して略直列になる向きに配置されていることにより、各櫛歯を歯ブラシのブラシ部の根元に刺した際に、ブラシ部が植毛された歯ブラシのヘッド部の表面に沿って各櫛歯を刺し入れることができる。
【００３６】
その後、歯ブラシ清掃具をブラシ部の先端方向に動かす（あるいは、歯ブラシを動かす）ことで、ヘッド部の表面に付着したゴミもムラなく梳き上げ、ブラシ部からゴミを除去することができる。各櫛歯は、一条に配置されていることにより、櫛部を簡易な構造にすると共に、例えば各櫛歯が複数条である場合と比較して、歯ブラシに付着したゴミを除去しやすい構造にしている。
【考案の効果】
【００３７】
本考案によれば、歯ブラシのブラシ部に付着したゴミを効率良く除去することができると共に、歯ブラシ側から移った同ゴミを取り外しやすい、歯ブラシ清掃具を提供することができる。
【図面の簡単な説明】
【００３８】
【図１】本考案の歯ブラシ清掃具を示し、櫛部先端を上方に向けた斜視説明図である。
【図２】図１に示す歯ブラシ清掃具の櫛部を拡大して示しており、（ａ）は平面図、（ｂ）は側面図である。
【図３】図１に示す歯ブラシ清掃具の使用状態説明図である。
【図４】本考案の歯ブラシ清掃具の変形例を示し、（ａ）は櫛部に係る変形例１であり、（ｂ）は持ち手部に係る変形例２である。
【図５】本考案の歯ブラシ清掃具の変形例を示し、櫛部に係る変形例３である。
【図６】特許文献１に記載の清掃ブラシである。
【考案を実施するための形態】
【００３９】
図１ないし図５を参照して、本考案の実施の形態を更に詳細に説明する。なお、各図における符号は、煩雑さを軽減し理解を容易にする範囲内で付している。また、説明は、〔第１実施形態〕、〔変形例１〕、〔変形例２〕、〔変形例３〕の順番で行う。
【００４０】
〔第１実施形態〕
図１および図３を参照して、第１実施形態に係る歯ブラシ清掃具１について説明する。図１に示すように、歯ブラシ清掃具１は、持ち手部２と、櫛部３とを備える。これら各部については以下詳述する。
【００４１】
持ち手部２は、所定長さの短幅平板形状の棒体であり、一端側に設けた頚部２１を介し、後述する櫛部３の基体３０と連設されている。
【００４２】
本実施形態においては、持ち手部２、頚部２１および基体３０はポリプロピレン樹脂により一体的に成型されているが、これに限定するものではなく、例えば、ＡＳ（Ａｃｒｙｌｏｎｉｔｒｉｌｅ  Ｓｔｙｒｅｎｅ）樹脂、ＡＢＳ（Ａｃｒｙｌｏｎｉｔｒｉｌｅ  Ｂｕｔａｄｉｅｎｅ  Ｓｔｙｒｅｎｅ）樹脂、飽和ポリエステル樹脂、エラストマー樹脂等の他の合成樹脂材であってもよいし、その他の材料であってもよい。
【００４３】
また、本実施形態において、歯ブラシ清掃具１の全長Ｌ１は１８ｃｍであり、通常の歯ブラシと同等の長さに設けられている。そして、持ち手部２の長さＬ２は１４．５ｃｍ、櫛部３の基体３０の長さＬ３は３ｃｍ、持ち手部２と基体３０の間の頚部２１の長さＬ４は０．５ｃｍである。なお、持ち手部２と基体３０の幅は１ｃｍである。なお、本実施形態における歯ブラシ清掃具１の各部の形状および各部寸法は、前述の通りであるが、これに限定するものではなく、適宜設定することができる。
【００４４】
櫛部３は、短幅平板形状である基体３０と、複数本の櫛歯３１を有する。基体３０は、頚部２１を介し、持ち手部２の軸方向に一体的に連設されている。各櫛歯３１は、基体３０の平坦面部分から同じ方向へ延出するように設けられている（図２（ａ）、（ｂ）参照）。
【００４５】
本実施形態において、櫛歯３１の各々は、１８−８（ＳＵＳ−３０４）以上の規格のステンレススチール製ワイヤーの単線（すなわち一本の線体）であり、基体３０に同じ高さで植設されている。また、各櫛歯３１の高さＬ５は、基体３０の表面から１．５ｃｍである。そして、櫛部３は、隣接する櫛歯３１の間隙Ｌ６が２ｍｍに設定されている（図２（ｂ）参照）。
【００４６】
なお、本実施形態の櫛歯３１は、雑菌の繁殖および腐食防止の観点から、前述の規格のワイヤーを採用しているが、これに限定するものではなく、抗菌能、例えば、表面に抗菌クリアコーティングを施したもの、または、表面あるいは素材自体に銀または銅イオンが配合されたものであってもよい。また、櫛歯は、ナイロン等の合成樹脂製の線材を植設した態様であるか、基体３０と同素材で一体成型された態様であってもよく、この場合、櫛歯の構成材自体に抗菌作用を有する材料が配合されたものであるか、または、表面に抗菌コーティングを施したものであってもよい。
【００４７】
また、櫛歯３１に係るステンレススチール製ワイヤーとしては、少なくとも抗菌能を有するＺｎ、Ｃｕ、Ａｇの酸化物およびそれらの複合酸化物である粒子を含む層が形成されたもの等であってもよい。
【００４８】
更にまた、各櫛歯３１は、持ち手部２および基体３０の配列方向に対し、一条かつ直列になる向き（換言すると、歯ブラシ清掃具１の長手方向中心軸に沿った向き）に配置されている（図２（ａ）参照）。
【００４９】
（作  用）
図１および図３（特に図３）を参照して、歯ブラシ清掃具１の作用効果について説明する。
【００５０】
使用者は、持ち手部２を把持し、櫛部３を操作する。そして、持ち手部２を動かすことで、連設された基体３０が追従して動き、基体３０に設けられた各櫛歯３１を操作することができる。そして、使用者は、各櫛歯３１を歯ブラシ５のブラシ部５１の根元に刺し、ブラシ部５１の先端方向に動かすことで、ブラシ部５１を梳くようにしてゴミ５２を除去することができる（図３参照）。
【００５１】
このとき、櫛歯３１の各々は、剛性を有するので、除去するゴミ５２がブラシ部５１に絡んだ食べ物の繊維のようなものであっても、抵抗に負けることなく梳き出すことができる。また、櫛歯３１の各々が一本の線体であることにより、食べ物の繊維のようなゴミ５２を梳き出しやすく、梳き出して歯ブラシ清掃具１側に移ったゴミ５２が、櫛歯３１に必要以上に絡まずに取り外しやすい。
【００５２】
更にまた、櫛部３は、櫛歯３１の各々が、隣接する櫛歯３１の間に２ｍｍの間隙が形成されていることにより、使用後の歯ブラシ清掃具１の清掃を行いやすく、歯ブラシ５に付着したゴミ５２を除去しやすくなっている。加えて、前述の適度な間隙を有することで、例えば、歯ブラシ清掃具１の櫛歯３１に付着したゴミ５２は、櫛部３を蛇口からの水流を当てるだけで流し落とすことができ、手間を掛けずに除去することができ、使用後の歯ブラシ清掃具１の清掃が更に行いやすくなっている。更に、ブラシ部５１の植毛密度に応じた適度な間隙であることで、歯ブラシ５に付着したゴミ５２を除去する作業効率も向上している。
【００５３】
そして、櫛歯３１は、各々が、持ち手部２および基体３０の配列方向に対して直列になる向きに配置されていることにより、各櫛歯３１を歯ブラシ５のブラシ部５１の根元に刺した際に、ブラシ部５１が植毛された歯ブラシ５のヘッド部の表面に沿って各櫛歯３１を刺し入れることができる。
【００５４】
その後、歯ブラシ清掃具１をブラシ部５１の先端方向に動かす（あるいは、歯ブラシ５を動かす）ことで、歯ブラシ５のヘッド部の表面に付着したゴミ５２もムラなく梳き上げ、ブラシ部５１からゴミ５２を除去することができる。
【００５５】
各櫛歯３１は、一条に配置されていることにより、櫛部３を簡易な構造にすると共に、各櫛歯３１に付着したゴミ５２を除去しやすい構造である。例えば、各櫛歯が複数条である場合、ゴミが各条間に挟まったりしやすいが、各櫛歯３１では、その配置が一条であることで、ゴミ５２が挟まる、あるいは、絡みにくくなっている。
【００５６】
また、各櫛歯３１が抗菌性を有するので、雑菌の繁殖を抑制することができ、歯ブラシ清掃具１を清潔に保つことができる。また、歯ブラシ清掃具１が清潔であることにより、歯ブラシ清掃具１を使用する対象である歯ブラシ５に雑菌が移らないようにすることができる。
【００５７】
なお、図３においては、各櫛歯３１を歯ブラシ５のブラシ部５１の高さ方向に対して交差する方向に刺して使用する態様を示しているが、これに限定するものではなく、例えば、櫛歯３１は、歯ブラシ５のブラシ部５１の先端方向から基体３０の方向に向かって刺し入れるか、あるいは、先端方向から基体３０の方向に向かって斜め下方に刺し入れ、ゴミ５２を除去する使用態様でもよく、櫛歯３１の刺し入れ方向は、使用者の任意で選択することができる。
【００５８】
〔変形例１〕
図４（ａ）に示す歯ブラシ清掃具１ａは、図２（ａ）に示す歯ブラシ清掃具１における櫛歯３１の変形例（変形例１）である。歯ブラシ清掃具１ａは、櫛歯３１ａの配列方向が、歯ブラシ清掃具１ａの長手方向中心軸線から左右方向（間隙Ｌ７）に約０．３ｍｍ外れ、ジグザグとなっている。歯ブラシ清掃具１ａは、歯ブラシ清掃具１のように櫛歯３１の配列方向が完全に直列ではないが、使用時および使用後の清掃時における作業性において略同等の作用効果を奏する。また、歯ブラシ清掃具１ａは、製造工程において、櫛歯３１の配列方向に関する厳密な直列性を要求されないので、製造効率が良い。
【００５９】
なお、前述の歯ブラシ清掃具１ａにおいて言及のない他の部分の構造および作用は、歯ブラシ清掃具１と同様であるため、歯ブラシ清掃具１の各部と同じ符号を付けると共に、説明を省略する。
【００６０】
〔変形例２〕
図４（ｂ）に示す歯ブラシ清掃具１ｂは、図１に示す歯ブラシ清掃具１における持ち手部２の変形例（変形例２）である。歯ブラシ清掃具１ｂは、持ち手部２ｂが、長円状の枠体であり、歯ブラシ清掃具１ｂの長手方向中心軸線と、持ち手部２ｂの長径軸線とが直線上に重なるように設けられている。
【００６１】
使用者は、持ち手部２ｂの内側の空隙に人差し指から小指までの四指を入れて持つことができ、保持性が良い。なお、前述の歯ブラシ清掃具１ｂにおいて言及のない他の部分の構造および作用は、歯ブラシ清掃具１と同様であるため、歯ブラシ清掃具１の各部と同じ符号を付けると共に、説明を省略する。
【００６２】
〔変形例３〕
図５に示す歯ブラシ清掃具１ｃは、図１に示す歯ブラシ清掃具１における櫛歯３１の変形例（変形例３）である。歯ブラシ清掃具１ｃは、各櫛歯３１ｃの全部が、櫛歯３１ｃの軸方向側面に突出した突出部を有する構造である。この突出部は、櫛歯３１ｃの軸方向側面の長手方向に亘って、螺旋状に形成されている。
【００６３】
歯ブラシ清掃具１ｃは、各櫛歯３１ｃが突出部を有することにより、歯ブラシ清掃具１ｃを使用して歯ブラシ５を清掃する際に、ゴミ５２が引っ掛かりやすくなると共に、引っ掛けたゴミ５２が歯ブラシ５側に外れにくくすることができる。
【００６４】
なお、前述の歯ブラシ清掃具１ｃにおいて言及のない他の部分の構造および作用は、歯ブラシ清掃具１と同様であるため、歯ブラシ清掃具１の各部と同じ符号を付けると共に、説明を省略する。
【００６５】
以上のように、本考案に係る歯ブラシ清掃具1、１ａ、１ｂ、１ｃによれば、歯ブラシ５のブラシ部５１に付着したゴミ５２を効率良く除去することができると共に、歯ブラシ５側から移った同ゴミ５２を取り外しやすいものとなっている。
【００６６】
本明細書および本実用新案登録請求の範囲で使用している用語と表現は、あくまでも説明上のものであって、なんら限定的なものではなく、本明細書および本実用新案登録請求の範囲に記述された特徴およびその一部と等価の用語や表現を除外する意図はない。また、本考案の技術思想の範囲内で、種々の変形態様が可能であるということは言うまでもない。
【符号の説明】
【００６７】
１、１ａ、１ｂ、１ｃ    歯ブラシ清掃具
２、２ｂ    持ち手部
２１    頚部
３    櫛部
３０    基体
３１、３１ａ、３１ｃ    櫛歯
５    歯ブラシ
５１    ブラシ部
５２    ゴミ
Ｌ１    歯ブラシ清掃具の全長
Ｌ２    持ち手部の長さ
Ｌ３    櫛部の基体の長さ
Ｌ４    頚部の長さ
Ｌ５    櫛歯の高さ
Ｌ６    隣接する櫛歯の間隙
Ｌ７    間隙
９    清掃ブラシ
９１    ブラシ毛
９２    ヘッド部
９３    把柄部
【図１】
0003224652.tif 000003
【図２】
0003224652.tif 000004
【図３】
0003224652.tif 000005
【図４】
0003224652.tif 000006
【図５】
0003224652.tif 000007
【図６】
0003224652.tif 000008